(57)【要約】【課題】搭乗者の気分をより適切に反映したコンテンツを選定し、再生することができるコンテンツ再生技術を提供する。【解決手段】コンテンツ再生装置において、装置が搭載された車両に関する搭乗者による所定の操作を検出する手段（ステップＳ１）、及び該操作が検出されたことに応じ、所定の各コンテンツのうち、該操作の後において再生するのに適したものを、各コンテンツの所定の属性に基づいて選定するコンテンツ選定手段（ステップＳ２〜Ｓ４）を設ける。コンテンツ選定手段は、所定の操作について定められたパラメータであってコンテンツの所定の特徴を表現するものの値を各コンテンツについて規定したデータベースに基づき、コンテンツの選定を行う。【選択図】図５
2006277220.tif 000002
【特許請求の範囲】
【請求項１】
装置が搭載された車両に関する搭乗者による所定の操作を検出する手段、及び
該操作が検出されたことに応じ、所定の各コンテンツのうち、該操作の後において再生するのに適したものを、各コンテンツの所定の属性に基づいて選定するコンテンツ選定手段を具備することを特徴とするコンテンツ再生装置。
【請求項２】
前記コンテンツ選定手段は、前記所定の操作について定められたパラメータであってコンテンツの所定の特徴を表現するものの値を前記各コンテンツについて規定したデータベースに基づき、前記コンテンツの選定を行うものであることを特徴とするコンテンツ再生装置。
【請求項３】
前記所定の操作は、サンルーフ、ソフトトップ、又はハードトップを開く操作又は閉じる操作であることを特徴とする請求項１又は２に記載のコンテンツ再生装置。
【請求項４】
装置が搭載された車両又はその走行環境の状態が、所定の各状態のうちのいずれにあるかを検出する手段、
前記検出手段により検出された状態に対応するキーワードを、所定の各キーワードのうちから選択する手段、及び
前記所定の各キーワードと、該キーワードをそのタイトル又は歌詞に含むコンテンツとを対応付けたデータベースにおける各コンテンツのうち、前記選択手段により選択されたキーワードに対応するものを、該選択されたキーワードに対応する状態において再生するのに適したコンテンツとして選定するコンテンツ選定手段を具備することを特徴とするコンテンツ再生装置。
【請求項５】
前記データベースにおいて、各コンテンツについて、対応するキーワードがそのコンテンツのタイトル又は歌詞において出現する回数が規定されており、前記コンテンツの選定に際しては該出現回数が考慮されることを特徴とする請求項４に記載のコンテンツ再生装置。
【請求項６】
前記所定の各状態には、車両のサンルーフ、ソフトトップ、又はハードトップが開いている状態又は閉じている状態、車両が走行しているときの季節が春、夏、秋、冬、又は真夏である状態、車両が高原又は海辺を走行している状態、車両が走行している時間帯が午前、午後、昼、又は夜である状態、あるいは車両が走行している地域の天候が晴れ又は快晴である状態が含まれることを特徴とする請求項４又は５に記載のコンテンツ再生装置。
【請求項７】
前記選定の対象となるコンテンツには、予め設定された複数のコンテンツにより構成されたコンテンツ群が含まれることを特徴とする請求項１〜６のいずれか１項に記載のコンテンツ再生装置。
【請求項８】
前記コンテンツ選定手段に代えて、これと同一機能を有するコンテンツ選定手段、並びに該コンテンツ選定手段による選定の対象となるコンテンツのファイルを有する所定のネットワーク上のサーバに対し、該サーバのコンテンツ選定手段によるコンテンツの選定のために必要な情報を送り、該サーバがその情報に基づいて選定し、提供するコンテンツを受信する手段を有することを特徴とする請求項１〜７のいずれか１項に記載のコンテンツ再生装置。
【請求項９】
請求項１〜８のいずれかのコンテンツ再生装置における各手段としてコンピュータを機能させることを特徴とするコンテンツ選定プログラム。
【請求項１０】
装置が搭載された車両に関する搭乗者による所定の操作を検出する工程、及び
該操作が検出されたことに応じ、所定の各コンテンツのうち、該操作の後において再生するのに適したものを、各コンテンツの属性に基づいて選定するコンテンツ選定工程を具備することを特徴とするコンテンツ再生方法。
【請求項１１】
装置が搭載された車両又はその走行環境の状態が、所定の各状態のうちのいずれにあるかを検出する工程、
前記検出工程において検出された状態に対応するキーワードを、所定の各キーワードのうちから選択する工程、及び
前記所定の各キーワードと、該キーワードをそのタイトル又は歌詞に含むコンテンツとを対応付けたデータベースにおける各コンテンツのうち、前記選択工程において選択されたキーワードに対応するものを、該選択されたキーワードに対応する状態において再生するのに適したコンテンツとして選定するコンテンツ選定工程を具備することを特徴とするコンテンツ再生方法。
【請求項１２】
前記コンテンツ選定工程に代えて、これと同一のコンテンツ選定工程、及び該コンテンツ選定工程における選定の対象となるコンテンツのファイルを有する所定のネットワーク上のサーバに対し、該サーバのコンテンツ選定工程におけるコンテンツの選定のために必要な情報を送り、該サーバがその情報に基づいて選定し、提供するコンテンツを受信する工程を有することを特徴とする請求項１０又は１１に記載のコンテンツ再生方法。
【発明の詳細な説明】
【技術分野】
【０００１】
本発明は、車両に関連した種々の状況に応じて、再生に適したコンテンツを選定するようにしたコンテンツ再生装置、コンテンツ選定プログラム、及びコンテンツ再生方法に関する。
【背景技術】
【０００２】
近年、カーオーディオシステムや、カーナビゲーションシステム等の車載情報端末装置は、ＴＶ放送、ＦＭ放送、ＡＭ放送、ＨＤＤ、ＣＤ、ＣＤチェンジャ、ＭＤ、ＭＤチェンジャ、ＤＶＤ、ＤＶＤチェンジャ等の種々のメディアに対応しており、様々なコンテンツを再生することができるようになっている。つまり、これら種々のメディアの様々な音楽コンテンツの再生機能が搭載された車載情報端末装置によれば、多くの音楽コンテンツを聴くことができる。
【０００３】
一方、車載情報端末装置により音楽コンテンツを再生する際には、車両の搭乗者が車載情報端末装置を操作し、車載情報端末装置が有する音楽コンテンツの中から聴きたい音楽コンテンツを選択して再生指示を行うようにしている。このため、ドライブシーンに合った音楽コンテンツを再生したい場合には、搭乗者は、多くの音楽コンテンツの中から所望のものを選択して再生指示を行うという複雑な操作を行わなければならない。また搭乗者は、車両の移動に伴って時々刻々と変化する各ドライブシーンにおいて適切な曲を聴きたい場合には、曲が終わる度に頭を悩ませながら、多くの音楽コンテンツの中から各ドライブシーンに適切なものを選択し、再生指示を行わなければならない。
【０００４】
そこで、搭乗者の指示によらずに装置自身が、周囲の状況に応じて、搭乗者が聴きたいと思われる楽曲を選択し、再生するようにした楽曲検索システムが提案されている（特許文献１）。このシステムにおいては、現在の周囲の状況を楽曲の印象値に変換し、この変換値と、予め取得した各楽曲及び印象値の対応付けとに基づいて、楽曲を選択するようにしている。また、このシステムでは、周囲の状況として、車両速度、周囲の騒音、温度、脈拍、周囲の明るさ、現在位置、現在位置の高度等を用いることができるとされている。また、印象値としては、激しさ、爽快感、素朴さ、ソフトさ等を用いることができるとされている。
【０００５】
【特許文献１】特開２００４−８６１８９号公報
【発明の開示】
【発明が解決しようとする課題】
【０００６】
しかしながら、このシステムによれば、必ずしも搭乗者が聴きたい楽曲を適切に選択することができるとはいえない場合もある。たとえば、搭乗者が気分を変えるために、サンルーフの開閉や、オープンカーのソフトトップやハードトップの開閉を行った場合、搭乗者のかかる行為を行った気持ちを適切に反映した楽曲を再生することはできないと考えられる。
【０００７】
本発明の目的は、このような従来技術の問題点に鑑み、搭乗者の気分をより適切に反映したコンテンツを選定し、再生することができるコンテンツ再生技術を提供することにある。
【課題を解決するための手段】
【０００８】
上記目的を達成するため、本発明のコンテンツ再生装置は、装置が搭載された車両に関する搭乗者による所定の操作を検出する手段、及び該操作が検出されたことに応じ、所定の各コンテンツのうち、該操作の後において再生するのに適したものを、各コンテンツの所定の属性に基づいて選定するコンテンツ選定手段を具備することを特徴とする。
【０００９】
ここで、コンテンツ再生装置としては、たとえば、カーオーディオシステム、カーナビゲーションシステム等の車載情報端末装置が該当する。車両としては、たとえば、四輪の自動車が該当する。車両に関する操作には、コンテンツ再生装置に関する操作は含まれない。所定の操作を検出する手段としては、たとえば、車内ＬＡＮを介して操作の検出を行うものが該当する。コンテンツとしてはたとえば、装置が再生可能なＣＤ、ＤＶＤ、ハードディスク、半導体メモリ等に記録された音楽コンテンツや映像コンテンツが該当する。インターネットや車内ＬＡＮを介して、ダウンロードやストリーミングにより取得できるコンテンツであってもよい。「操作の後」としては、たとえば、操作直後や、操作時に再生中であったコンテンツの再生が終了した時点が該当する。各コンテンツの所定の属性としては、たとえば、テンポが速いとか、曲調が明るいといったものが該当する。
【００１０】
この構成において、装置が搭載された車両に関する搭乗者により所定の操作がなされると、その旨が検出手段により検出される。これに応じ、コンテンツ選定手段は、所定の各コンテンツのうち、該操作の後において再生するのに適したものを、各コンテンツの所定の属性に基づいて選定する。これによれば、搭乗者による車両に関する所定の操作は搭乗者の気分の転換点を示す場合が多く、これに応じて再生対象とするコンテンツが選定されることになるので、搭乗者の気分の変化に応じ、より適合したコンテンツの選択を行うことができる。
【００１１】
第２の発明に係るコンテンツ再生装置は、第１発明において、コンテンツ選定手段は、前記所定の操作について定められたパラメータであってコンテンツの所定の特徴を表現するものの値を各コンテンツについて規定したデータベースに基づき、コンテンツの選定を行うものであることを特徴とする。所定の操作について定められたパラメータとしては、たとえば、サンルーフを開く操作について定められた曲調及びテンポが該当する。パラメータの値としては、たとえば、曲調について、これを２つの値で示した「明るい」及び「静か」や、これらの値をより細分化して数値化したものが該当する。
【００１２】
第３の発明に係るコンテンツ再生装置は、第１又は第２発明において、前記所定の操作は、サンルーフ、ソフトトップ、又はハードトップを開く操作又は閉じる操作であることを特徴とする。
【００１３】
第４の発明に係るコンテンツ再生装置は、装置が搭載された車両又はその走行環境の状態が、所定の各状態のうちのいずれにあるかを検出する手段、前記検出手段により検出された状態に対応するキーワードを、所定の各キーワードのうちから選択する手段、及び前記所定の各キーワードと、該キーワードをそのタイトル又は歌詞に含むコンテンツとを対応付けたデータベースにおける各コンテンツのうち、前記選択手段により選択されたキーワードに対応するものを、該選択されたキーワードに対応する状態において再生するのに適したコンテンツとして選定するコンテンツ選定手段を具備することを特徴とする。
【００１４】
ここで、所定の各状態としては、たとえば、車両のサンルーフが開いている状態や、季節が夏である状態が該当する。キーワードとしては、たとえば、車両のサンルーフが開いており、時間帯が朝、昼、又は夕方であり、かつ車両が海岸線の道路上を走行中である状態に対応する「海」が該当する。
【００１５】
第５の発明に係るコンテンツ再生装置は、第４発明において、前記データベースにおいて、各コンテンツについて、対応するキーワードがそのコンテンツのタイトル又は歌詞において出現する回数が規定されており、前記コンテンツの選定に際しては該出現回数が考慮されることを特徴とする。
【００１６】
第６の発明に係るコンテンツ再生装置は、第４又は第５発明において、前記所定の各状態には、車両のサンルーフ、ソフトトップ、又はハードトップが開いている状態又は閉じている状態、車両が走行しているときの季節が春、夏、秋、冬、又は真夏である状態、車両が高原又は海辺を走行している状態、車両が走行している時間帯が午前、午後、昼、又は夜である状態、あるいは車両が走行している地域の天候が晴れ又は快晴である状態が含まれることを特徴とする。
【００１７】
第７の発明に係るコンテンツ再生装置は、第１〜第６のいずれかの発明において、選定の対象となるコンテンツには、予め設定された複数のコンテンツにより構成されたコンテンツ群が含まれることを特徴とする。
【００１８】
第８の発明に係るコンテンツ再生装置は、第１〜第７のいずれかの発明において、コンテンツ選定手段に代えて、これと同一機能を有するコンテンツ選定手段、並びに該コンテンツ選定手段による選定の対象となるコンテンツのファイルを有する所定のネットワーク上のサーバに対し、該サーバのコンテンツ選定手段によるコンテンツの選定のために必要な情報を送り、該サーバがその情報に基づいて選定し、提供するコンテンツを受信する手段を有することを特徴とする。
【００１９】
第９の発明に係るコンテンツ選定プログラムは、第１〜第８の発明に係るいずれかのコンテンツ再生装置における各手段としてコンピュータを機能させることを特徴とする。
【００２０】
第１０の発明に係るコンテンツ再生方法は、装置が搭載された車両に関する搭乗者による所定の操作を検出する工程、及び該操作が検出されたことに応じ、所定の各コンテンツのうち、該操作の後において再生するのに適したものを、各コンテンツの属性に基づいて選定するコンテンツ選定工程を具備することを特徴とする。
【００２１】
第１１の発明に係るコンテンツ再生方法は、装置が搭載された車両又はその走行環境の状態が、所定の各状態のうちのいずれにあるかを検出する工程、前記検出工程において検出された状態に対応するキーワードを、所定の各キーワードのうちから選択する工程、及び前記所定の各キーワードと、該キーワードをそのタイトル又は歌詞に含むコンテンツとを対応付けたデータベースにおける各コンテンツのうち、前記選択工程において選択されたキーワードに対応するものを、該選択されたキーワードに対応する状態において再生するのに適したコンテンツとして選定するコンテンツ選定工程を具備することを特徴とする。
【００２２】
第１２の発明に係るコンテンツ再生方法は、第１０又は第１１発明において、コンテンツ選定工程に代えて、これと同一のコンテンツ選定工程、及び該コンテンツ選定工程における選定の対象となるコンテンツのファイルを有する所定のネットワーク上のサーバに対し、該サーバのコンテンツ選定工程におけるコンテンツの選定のために必要な情報を送り、該サーバがその情報に基づいて選定し、提供するコンテンツを受信する工程を有することを特徴とする。
【発明の効果】
【００２３】
本発明によれば、車両についての搭乗者による所定操作の検出に応じてコンテンツの選定を行うようにしたため、搭乗者の気分の変化に応じたコンテンツを選定し、再生することができる。また、コンテンツのタイトル又は歌詞に含まれる所定のキーワードを介して車両又はその走行環境の状態とコンテンツとを対応付けて、ドライブシーンに応じたコンテンツの選択を行うことができる。
【発明を実施するための最良の形態】
【００２４】
図１は本発明の一実施形態に係る車載情報端末装置を含む車内ＬＡＮを示すブロック図である。この車内ＬＡＮには、情報処理に係る各種機器を有する情報系１、車両の一部として車体に組み込まれた各機器を有するボディー系２、及び車両の走行機能に係る各部を有するパワートレイン系３、並びに各系１〜３を相互に接続するゲートウェイ４が含まれている。
【００２５】
情報系１は各種コンテンツの再生機能やナビゲーション機能を有する車載情報端末装置１１、これに音声データを送るＣＤチェンジャ１２やＭＤチェンジャ１３を備える。ボディー系２は照明等を行うためのライト２１、キーレス・エントリを行うためのキーレス・エントリ手段２２、サンルーフ（車両がオープンカーの場合にはソフトトップ又はハードトップ。以下同じ。）２３、インストルメントパネル２４、車室内の空調を行うエアコン２５、パワー・シート２６、及びワイパ２７を備える。パワートレイン系３は、エンジン３１、スロットル３２、サスペンション３３及びアンチロック・ブレーキ・システム３４を備える。
【００２６】
車載情報端末装置１１は、ＭＤ、ＣＤ及びＤＶＤの再生手段、テレビ放送並びにＦＭ及びＡＭ放送の受信手段、ナビゲーション部、及び渋滞等の確認等を行うためのＶＩＣＳ機能部を有する。車載情報端末１１は、ボディー系２やパワートレイン系３に含まれる各電子装置から、車内ＬＡＮを介し、種々の情報取得することができる。たとえば、搭乗者による操作や、車両又はその走行環境の状態に関する情報として、サンルーフの開閉操作や開閉状態、スモールライト、フォグランプ、バックランプ等のライトの点灯操作や点灯状態に関する情報を取得することができる。
【００２７】
車載情報端末装置１１はまた、自身が有するナビゲーション機能により、車両やその走行環境に関する情報として、現在走行中の位置に関する情報、たとえば、現在走行中の道路が海辺の道路、高原の道路、市街地である等の情報を取得することができる。また、自身が有する時計／カレンダー情報、あるいは車内ＬＡＮや通信機能を介したインターネットから時計／カレンダー情報を得ることができる。この日時の情報に基づき、現在の時間帯が朝、昼、夜等のいずれであるか、季節が春、夏、秋、冬のいずれであるかといった情報を取得することができる。さらに、インターネットを介して、車両が走行中の地域の天候に関する情報を取得することができる。
【００２８】
図２は車載情報端末装置１１に記録されている音楽コンテンツに関する情報を示す。同図に示すように、車載情報端末装置１１はハードディスクやメモリ等の記憶装置５１を備える。５２は車載情報端末装置１１が有するＣＤドライブ内に挿入されているＣＤである。記憶装置５１内には、各楽曲の音楽コンテンツに関する情報５３として、アルバム、タイトル、アーティスト、ジャンル、作詞者、歌詞等の付帯情報５４が音楽コンテンツのデータとリンクした形で格納されている。一部の音楽コンテンツのデータはＣＤ５２上に記録されており、他の音楽コンテンツのデータ５５は記憶装置５１内に記録されている。なお、音楽コンテンツに対する付帯情報が不足している場合には、不足分を、インターネット上のＣＤＤＢ（ＣＤデータベース）等のデータベースにアクセスして取得し、記憶装置５１内に記録することができる。
【００２９】
図３は、記憶装置５１内に構築された音楽キーワード・データベースを示す。このデータベースは、上述の付帯情報５４中のタイトル及び歌詞に含まれるキーワード基づいて作成される。キーワードとしては、たとえば「山」、「海」、「川」、季節を示す「春」、「夏」、「秋」、「冬」、時間帯を示す「午前」、「午後」、「朝」、「昼」、「晩」、天候を示す「晴れ」、「曇り」、「雨」、「台風」、地域を示す「東北」、「北海道」、「東京」等が用いられる。このデータベースにおいては、同図に示すように、キーワード毎に、そのキーワードをタイトル及び歌詞に含む音楽コンテンツを特定する楽曲名並びにそのコンテンツのタイトル及び歌詞における該キーワードの出現頻度（回数）が規定されている。
【００３０】
図４は記憶装置５１内に構築された楽曲特徴データベースを例示する。このデータベースは同図に示すように、楽曲の特徴を示すパラメータとして曲調及びテンポを用い、楽曲Ａ〜Ｄの音楽コンテンツの特徴を規定している。楽曲Ａについて付随している（Ｘｆ１，Ｙｆ１）のうちのＸｆ１は、テンポが速いか否かの程度を示す数値である。Ｙｆ１は曲調が明るいか否かの程度を示す数値である。同様に、楽曲Ｂ〜Ｄについてもテンポ及び曲調の程度が数値により規定されている。つまり図４は、曲調を示すパラメータ値を縦軸、テンポを示すパラメータ値を横軸とするグラフ上で、各楽曲Ａ〜Ｄのテンポのパラメータ値Ｘｆ１〜Ｘｆ４及び曲調のパラメータ値Ｙｆ１〜Ｙｆ４で示される座標値により各楽曲Ａ〜Ｄを位置付けたものである。たとえば楽曲Ａは、テンポのパラメータ値Ｘｆ１及び曲調のパラメータ値Ｙｆ１が最も大きく、最もテンポが速くて曲調が明るいものとして規定されている。なお、この例では楽曲Ａ〜Ｄの４曲のみ示されているが、実際の楽曲特徴データベースにおいては、より多くの楽曲について登録を行い、その特徴を示すパラメータについて規定することができる。
【００３１】
このデータベースで規定する各楽曲のテンポ及び曲調のパラメータ値としては、ユーザ等が予め試聴して決定した値を用いてもよいが、その楽曲に係る音楽データを種々の方法で物理的に分析することによって得たものを用いることができる。たとえば、音楽データに高速フーリエ変換を施して得られる周波数分布を用いて、テンポが速いか否かについてのパラメータ値を決定し、使用することができる。
【００３２】
一方、サンルーフ２３を開く操作については、パラメータとして、曲調及びテンポが定められている。そしてこの操作に対しては、図４のグラフにおいて、各パラメータ値が大きい上方でかつ右方に位置する楽曲のコンテンツほど、より高い度合いで適合していることになる。かかる対応付けは、サンルーフ２３を開くという操作を行う際に搭乗者が聞きたいと望む曲の特徴を推定して予め定められている。すなわち搭乗者は、サンルーフ２３を開けるという操作を行うとき、走行中の車外の様々な環境をもっと身近に感じたいという状況あり、また、開放感及び爽快感を得たいというアクティブな気分であるという状況にあると考えられる。したがって、明るい曲でノリがいい曲を聴くことを要望していると推測することができる。そこで、上述のような対応付けを採用している。
【００３３】
図５は車載情報端末装置１１における処理の一部を示すフローチャートである。この処理は、サンルーフが閉められている状態において、車載情報端末装置１１が所定の再生モードで何らかの音楽コンテンツを再生しているときに行われる。処理を開始すると、車載情報端末装置はステップＳ１において、サンルーフが開けられたか否かを監視する。監視は、車内ＬＡＮを介して得られるサンルーフ２３の開閉情報に基づいて行われる。
【００３４】
ステップＳ１においてサンルーフ２３が開けられたと判定すると、車載情報端末装置１１はステップＳ２において、ドライブシーンに関する情報を取得する。すなわち、ナビゲーション機能に基づく車両の現在位置に関する情報、時計／カレンダー情報に基づく季節及び時間帯の情報、並びにインターネットを介して得られる車両が現在走行している地域の天候に関する情報を取得する。
【００３５】
次に、ステップＳ３において、取得したドライブシーンの情報に基づき、キーワードの選択を行う。選択は、各ドライブシーンについて予め定められているキーワードの中から行う。たとえば、ドライブシーンの情報に基づき、秋の午後の快晴の高原の道路をドライブ中であると判定できる場合には、かかるドライブシーンについて定められている「高原」を、キーワードとして選択する。真夏の太陽が燦燦と照りつける海辺の道路上を走行中であると判定できる場合には「海」を選択する。また、冬の晴れた星の綺麗な夜のドライブであると判定できる場合には「星」を選定する。
【００３６】
次に、ステップＳ４において、選定されたキーワード、音楽キーワード・データベース及び楽曲特徴データベースに基づき、音楽コンテンツの選定を行う。すなわち、音楽キーワード・データベースにおいて、選択されたキーワードに対応し、かつ該キーワードの出現頻度が高い楽曲であること、及び楽曲特徴データベースにおいて曲調及びテンポの各パラメータ値が大きい楽曲であることを考慮し、１つ又は複数の楽曲の音楽コンテンツを選定する。
【００３７】
たとえば、選択されたキーワードが「海」であるとすれば、音楽キーワード・データベースにおいて、「海」に対応する楽曲として楽曲Ａ及びＢが該当するが、楽曲Ａにおける「海」の出現頻度３の方が、楽曲Ｂにおける「海」の出現頻度よりも高い。また、楽曲特徴データベースにおいては、楽曲Ａ（Ｘｆ１，Ｙｆ１）が最も曲調が明るくテンポが速いことから、サンルーフ２３が開けられた状況に対して最も適合している。したがって、楽曲Ａ（Ｘｆ１，Ｙｆ１）の音楽コンテンツの方が楽曲Ｂの音楽コンテンツよりも優先して選定される。このようにして、優先度の高い方から、１つ又は複数の楽曲の音楽コンテンツが選定されることになる。
【００３８】
次に、ステップＳ５において、車載情報端末装置１１は、それまで再生していた音楽コンテンツに代えて、選定した１つ又は複数の音楽コンテンツの再生を開始する。これにより、図５の処理は終了する。
【００３９】
本実施形態によれば、多数の音楽コンテンツのうちから、搭乗者の手を煩わせたり、頭を悩ませたりすることなく、サンルーフ２３が開けられた状況に適合した音楽コンテンツを選定し、再生することができる。すなわち、楽曲特徴データベースを参照して音楽コンテンツの選定を行うようにしたため、サンルーフ２３が開けられた状況において搭乗者が抱いているであろう、走行中の様々な環境をより身近に感じたいという思いや、開放感と爽快間を得たいというアクティブな気分への変化を反映した、明るい曲調でテンポの速い楽曲を選定して再生することができる。また、サンルーフ２３が開けられたときのドライブシーンに対応するキーワードにより音楽キーワード・データベースを参照して音楽コンテンツを選定するようにしたため、サンルーフ２３が開けられたときのドライブシーンに適した音楽コンテンツを選定して再生することができる。
【００４０】
なお、本発明は上述の実施形態に限定されることなく、適宜変形して実施することができる。たとえば、上述においてはサンルーフ２３が開けられたことに応じ、楽曲を選定し、再生対象をこれに切り替えるようにしているが、さらにこれに加え、サンルーフ２３が閉じられた場合においても、同様にして楽曲を選定し、再生対象を切り替えるようにしてもよい。この場合、曲調については「静か」で、テンポについては「遅い」ものを優先して選定することができる。また、ドライブシーンの情報に基づくキーワードの選択に際しては、サンルーフ２３が開けられた場合とは異なるキーワードを選択対象とするようにしてもよい。
【００４１】
また、上述においては、楽曲特徴データベース及び音楽キーワード・データベースの双方を参照して音楽コンテンツの選定を行うようにしているが、この代わりに、いずれか一方のみを、同様の方法により参照して、音楽コンテンツの選定を行うようにしてもよい。
【００４２】
また、上述においては、車載情報端末装置１１が音楽キーワード・データベース及び楽曲特徴データベースを備え、楽音コンテンツの選定を行うようにしているが、この代わりに、インターネット上の所定の音楽配信システムサーバに音楽キーワード・データベース及び楽曲特徴データベースを設け、該サーバが音楽コンテンツの選定を行うようにしてもよい。この場合、車載情報端末装置１１はサンルーフ２３が開かれた旨の情報、及びドライブシーンの情報を該サーバに送信し、該サーバはこれに応じて選定した音楽コンテンツをダウンロード又はストリーミング配信により車載情報端末装置１１に供給し、そして車載情報端末装置１１は配信される音楽コンテンツを再生することになる。
【００４３】
また、上述においては、選定の対象とされるのは音楽コンテンツであるが、この代わりに、予め作成されたプレイリストにリストアップされた複数の楽曲のコンテンツからなるコンテンツ群を選定対象とし、コンテンツ群を単位として選定できるようにしてもよい。この場合、プレイリストには、上述実施形態におけるキーワードの選定方法において選定対象となるキーワードのうちの同一のものを共通に含む楽曲が含まれるようにしたり、曲調及びテンポの特徴が近似している楽曲が含まれるようにしたりして、選定基準に対する適合性の面において、プレイリスト内において矛盾が生じないようにすることができる。
【００４４】
また、上述においては、音声のみの音楽コンテンツを再生対象としているが、これに限らず、画像や映像を伴う音楽コンテンツや、音楽以外のジャンルのコンテンツを再生対象に含め、これらのコンテンツをサンルーフの開放やドライブシーンに適合させて選定し、再生するようにしてもよい。
【図面の簡単な説明】
【００４５】
【図１】本発明の一実施形態に係る車載情報端末装置を含む車内ＬＡＮを示すブロック図である。
【図２】図１中の車載情報端末装置に記録されている音楽コンテンツに関する情報を示す図である。
【図３】図１中の車載情報端末装置の記憶装置内に構築された音楽キーワード・データベースを示す図である。
【図４】図１中の車載情報端末装置の記憶装置内に構築された楽曲特徴データベースを例示する図である。
【図５】図１中の車載情報端末装置における処理の一部を示すフローチャートである。
【符号の説明】
【００４６】
１：情報系、２：ボディー系、３：パワートレイン系、４：ゲートウェイ、１１：車載情報端末装置、１２：ＣＤチェンジャ、１３：ＭＤチェンジャ、２１：ライト、２２：キーレス・エントリ、２３：サンルーフ又はオープンカーのソフトトップやハードトップ、２４：インストルメントパネル、２５：エアコン、２６：パワー・シート、２７：ワイパ、３１：エンジン、３２：スロットル、３３：サスペンション、３４：アンチロック・ブレーキ・システム、５１：記憶装置、５３：各楽曲の音楽コンテンツに関する情報、５４：付帯情報。
【図１】
2006277220.tif 000003
【図２】
2006277220.tif 000004
【図３】
2006277220.tif 000005
【図４】
2006277220.tif 000006
【図５】
2006277220.tif 000007